(57)【要約】      （修正有）【課題】車載ハード・ディスクモジュールを取外し他設備に接続使用可能とする関連装置を提供する。【解決手段】ハード・ディスクモジュールを収容する本体と、該本体外に設置され、第１の前端及び第１の後端を具備して外力を接受する第１の連動部材と、該第１の連動部材の前記第１の前端と接続して外力の接受か否か制御することにより該第１の連動部材を押し動かす制御部材と、該第１の連動部材の該第１の後端と接続する第２の前端と第２の後端と固定点とを有し、該第１の連動部材の牽引により該固定点を軸心として回転する第２の連動部材と、該第２の連動部材の該第２の後端と接続する第３の前端と第３の後端とを有し、該第２の連動部材の牽動により該第３の後端を利用して該ハード・ディスクモジュールを押出す第３の連動部材と、を備えてなるハード・ディスクモジュールにより解決する。【選択図】      図１
2008123655.tif 000002
【特許請求の範囲】
【請求項１】
ハード・ディスクモジュールを収容する本体と、
前記本体外に設置され、第１の前端及び第１の後端を有する第１の連動部材と、
前記第１の連動部材の前記第１の前端と接続して、外力の接受か否かを制御することにより該第１の連動部材を動かす制御部材と、
前記第１の連動部材の前記第１の後端と接続する第２の前端と第２の後端と固定点とを有し、そして該第１の連動部材の牽引により該固定点を軸心として回転する第２の連動部材と
前記第２の連動部材の前記第２の後端と接続する第３の前端と、第３の後端とを有し、そして該第２の連動部材の牽動により該第３の後端を利用して前記ハード・ディスクモジュールを押出す第３の連動部材と、
を備えてなることを特徴とするハード・ディスクモジュール抽出装置。
【請求項２】
前記本体は側辺を備え、そして前記第１の連動部材は該本体の側辺に設置されていることを特徴とする請求項１記載の抽出装置。
【請求項３】
前記制御部材は旋回ふたを備えていることを特徴とする、請求項１記載の抽出装置。
【請求項４】
前記本体は鏤空部分を備え、そして前記第３の連動部材の前記第３の後端は該本体の鏤空部分と互い嵌合する突出部分を備えてなることを特徴とする、前記請求項１記載の抽出装置。
【請求項５】
前記第１の連動部材は押レバーであり、
前記制御部材はボタンであり、
前記第２の連動部材は回転バーであり、及び/又は
前記第３の連動部材は押し盤である、
前記請求項１記載の抽出装置。
【請求項６】
ハード・ディスクモジュールを収容する本体と、
前記本体外に設置され、第１の前端及び第１の後端を具備して外力を接受する第１の連動部材と、
前記第１の連動部材の前記第１の前端と接続して、外力の接受か否かを制御することにより該第１の連動部材を押動かす制御部材と、
前記第１の連動部材の前記第１の後端と接続する第２の前端と第２の後端と固定点とを有し、そして該第１の連動部材の該第１の後端と接続して、該第１の連動部材の牽引により該固定点を軸心と回転する第２の連動部材と、
前記第２の連動部材の前記第２の後端と接続する第３の前端と第３の後端とを有し、そして該第２の連動部材の牽動により該第３の後端を利用して該ハード・ディスクモジュールを押出す第３の連動部材とを備えてなる、行動工具上に設置されたハード・ディスクモジュール抽出装置。
【請求項７】
前記行動工具は自動車であることを特徴とする請求項６記載の抽出装置。
【請求項８】
ハード・ディスクモジュールを収容する本体と、
前記本体外に設置され、第１の前端及び第１の後端を具備して外力を接受する第１の連動部材と、
前記第１の連動部材の前記第１の後端と接続する第２の前端と第２の後端と固定点とを有し、該第１の連動部材の牽引により該固定点を軸心として回転する第２の連動部材と、
前記第２の連動部材の前記第２の後端と接続する第３の前端と第３の後端を有し、前記第２の連動部材の牽動により該第３の後端を利用して前期ハード・ディスクモジュールを押出す第３の連動部材と、
を備えてなるハード・ディスクモジュール抽出装置。
【請求項９】
ハード・ディスクモジュールを収容する本体と、
前記本体外に設置され、第１の前端及び第２の後端を具備して外力を授受する第１の連動部材と、
前記第１の連動部材の前記第１の後端と接続する第２の前端と第２の後端と固定点とを有し、該第１の連動部材の牽引により該固定点を軸心として回転する第２の連動部材と、
前記第２の連動部材の前記第２の後端と接続する第３の前端と第３の後端とを有し、前記第２の連動部材の牽動により該第３の後端を利用して該ハード・ディスクモジュールを押出す第３の連動部と、
を備えてなる、行動工具上に設置されるハード・ディスクモジュール抽出装置。
【請求項１０】
ハード・ディスクモジュールを収容する本体と、
前記本体外に設置され、一端が外力を受けて他端に向って移動する被圧連動部材と、
前記被圧連動部材の被圧された他端と接続し、該被圧連動部材の牽引を受けて回転する回転部材と、
前記回転部材が前記被圧連動部材の牽引を受ける他端と接続し、該回転部材の牽動によりハード・ディスクモジュールを押出す押動部材と、
を備えてなるハード・ディスクモジュール抽出装置。
【請求項１１】
ハード・ディスクモジュールを収容する本体と
前記本体外に設置され、一端が外力を受けて他端に向って移動する被圧連動部材と、
前記被圧連動部材の被圧された他端と接続し、該被圧連動部材の牽引を受けて回転する回転部材と、
前記回転部材が前記被圧連動部材の牽引を受ける他端と接続し、該回転部材の牽動によりハード・ディスクを押出す押動部材と
を備えてなる、行動工具上に設置されるハード・ディスクモジュール抽出装置。
【発明の詳細な説明】
【技術分野】
【０００１】
本発明はハード・ディスクモジュール抽出装置に関し、特に行動器具上に設置されたハード・ディスクモジュール抽出装置に関する。
【背景技術】
【０００２】
国人の休暇が長ければ長い程、暇日に出遊する確率が大幅に増大する。家人の旅遊時の
需求に応じるために、例えば音楽を聴く、デジィタル・テレビを見る、ＤＶＤディスクを放送する、遊戯、衛星導航する等の各種の需求に応じるために車輌に多媒体設備が配備され、大きなセンセイションを巻起こしている。したがって、毎週二日の休暇により誘導された休閑新風潮はデジィタル音映生活を正式に行動時代に進入させ、各項の車用多媒体配備、例えば家庭劇場級の音映娯楽多媒体産品及び衛星導航設備等をして、自動車の益益重要な設備にせしめている。
【０００３】
目前、市面上で販売されている車では、車上の多媒体音映設備の機能が益益強大になっているので、多媒体音映設備にハード・ディスクドライブモジュール（ＨＤＤ  Ｍｏｄｕｌｅ）を加設する需求も益益増大しているが、これらの設備を有しているために、車輌の価格がそれに伴って高くなり、同時に、車の持主に一層このような設備を増設すべきかの顧慮を蒙むらさせると共に該ハード・ディスクモジュールの実用性を車用設備の支援に局限させている。
【０００４】
したがって、本出願人は前記の欠点にかんがみ鋭意試験と研究とを重ねた結果、ついに本発明のハード・ディスクモジュール抽出装置を案出した。
【発明の開示】
【発明が解決しようとする課題】
【０００５】
ハード・ディスクモジュールを行動装置上の多媒体音映設備において使用可能にするため、且つ、家に持ち返り又は事務環境中でデスクトップ・コンピュータ及びノートブック・コンピュータ等の設備と接続使用できることから、目前快速抽出行動装置に用いられるハード・ディスクモジュール装置に対する需求が大幅に向上された。しかしながら、目前市面上には消費者の需求を満足できる関連装置がまだ存在していない。
【課題を解決するための手段】
【０００６】
上記需求に基づいて本発明により提供されるハード・ディスクモジュール抽出装置は、ハード・ディスクモジュールを収容する本体と、該本体外に設置され、第１の前端及び第１の後端を有する第１連動部材と、該第１の連動部材の該第１の前端と接続して、外力の接受か否かを制御することにより該第１の連動部材を動かす制御部材と、該第１の連動部材の該第１の後端と接続する第２の前端と第２の後端と固定点とを有する第２の連動部材と、該第２の連動部材の該第２の後端と接続する第３の前端とを備えてなり、その中該第２の前端は該第１の連動部材の該第１の後端と接続し、該第２の連動部材は該第１の連動部材の牽引により該固定点を軸心として回転し、そして該第３の前端は該第２の連動部材の牽動により該第３の後端を利用して該ハード・ディスクモジュールを押出すことを特徴とする。
【０００７】
上記本発明のハード・ディスクモジュール抽出装置において、該本体は側辺を備える。
【０００８】
また、上記抽出装置において第１の連動部材は該本体の側辺に設置されている。
【０００９】
また、上記本発明のハード・ディスクモジュール抽出装置は更に第１の連動部材の第１の前端と接続して外力の接受か否かを制御することにより第１の連動部材を押動かす制御部材を備える。
【００１０】
この制御部材は更に旋回ふたを備える。
【００１１】
また上記抽出装置における該本体は鏤空部分を備える。
【００１２】
また上記抽出装置における該第３の連動部材の該第３の後端は該本体の鏤空部分と互いに嵌合する突出部分を備える。
【００１３】
また、上記抽出装置における行動工具は自動車である。
【００１４】
また、上記抽出装置は行動工具のコントロール台、椅子枕内部、椅子下方、車頂下方又は椅子背部内に架設可能である。
【００１５】
更には本発明により提供されるハード・ディスクモジュール抽出装置は、ハード・ディスクモジュールを収容する本体と、該本体外に設置され、第１の前端及び第１の後端を具備して外力を接受する第１の連動部材と、該第１の連動部材の第１の前端と接続して、外力の接受か否かを制御することにより該第１の連動部材を押動する制御部材と、該第１の連動部材の該第１の後端と接続する第２の前端と第２の後端と固定点を有する第２の連動部材と、該第２の連動部材の該第２後端と接続する第３の前端と第３の後端を有する第３の連動部材と、を備えなり、その中該第２の連動部材は該第１の連動部材の牽引により該固定点を軸心として回転し、そして該第３の連動部材は該第２の連動部材の牽動により該第３の後端を利用して該ハード・ディスクモジュールを押出すことを特徴とする。
【００１６】
本発明により更に提供される、行動工具上に設置されたハード・ディスクモジュール抽出装置は、ハード・ディスクモジュールを収容する本体と、該本体外に設置され、一端が外力を受けて他端に向って移動する被圧連動部材と、被圧連動部材の被圧された他端に接続される第２の前端を具備し、被圧連動部材の牽引を受けて回転する回転部材と、該回転部材が該被圧連動部材の牽引を受ける他端と接続し、該回転部材の牽動によりハード・ディスクモジュールを押出す押動部材と、を備えてなる。
【００１７】
上記本発明のハード・ディスクモジュール抽出装置において該本体は側辺を包含する。
【００１８】
また上記抽出装置において被圧連動部材は本体の側辺に設置されている。
【００１９】
また上記抽出装置において本体に鏤空部分を包含する。
【００２０】
また上記抽出装置において押動部材の他端は本体の鏤空部分と互いに嵌合する突出部分を備える。
【００２１】
また上記アイディアによる行動工具は自動車である。
【００２２】
また上記アイディアによるハード・ディスクモジュール抽出装置は行動工具のコントロール台、椅子枕内部、椅子下方、車頂下方又は椅子背部内に架設可能である。
【００２３】
更には本発明により一歩進んで提供されるハード・ディスクモジュール抽出装置は、ハード・ディスクモジュールを収容する本体と、該本体外に設置され、一端が外力を受けて他端に向って移動する被圧連動部材と、該被圧連動部材の受力の他端に接続される第２の前端を具備し、該被圧連動部材の牽引を受けて回転する回転部材と、該回転部材が被圧連動部材の牽引を受けて他端と接続する第３の前端を有し、該回転部材の牽動によりハード・ディスクモジュールを押出す押動部材と、を備えてなる。
【００２４】
以下、本発明は添付図面を参照しながら詳細に説明することにより、一層深く了解される。
【発明を実施するための最良の形態】
【００２５】
図１は本発明のハード・ディスクモジュール抽出装置の第１の好適な実施例の組立分解図である。本発明により提供されるハード・ディスクモジュール抽出装置は本体１０と、第１の連動部材１２と、第２の連動部材１４と、第３の連動部材１６とを備えてなる。本体１０はハード・ディスクモジュールを収容可能（図１に図示していない）であり、且つ、ハード・モジュールをその中に支持及び固定する。第１の連動部材１２は本体１０外に設置され、第１の前端１２２及び第１の後端１２４を具備している。第２の連動部材１４は第２の前端１４２と、第２の後端１４４と、固定点１４６とを有し、その中第２の連動部材１４の第２の前端１４２は第１の連動部材１２の第１の後端１２４と接続し、第２の連動部材１４は第１の連動部材の牽引により、その固定点１４６を軸心として回転する。第３の連動部材１６は第３の前端１６２と、第３の後端１６４とを有し、その中第３の連動部材１６の第３の前端１６２は第２の連動部材１４の第２の後端１４４と接続し、第３の連動部材１６は第２の連動部材１４の牽動により第３の後端１６４を利用してハード・ディスクモジュールを押出す。
【００２６】
また図１に示すように、本体１０には側辺１０２と底面１０４があり、側辺１０２及び底面１０４上にはいずれも複数の孔穴１０６が形設されている。第１の連動部材１２には中空部分１２６があり、一個以上の係着ボタン２０により第１の連動部材１２の中空部分１２６を本体１０の側辺１０２の孔穴１０６上に固定して、第１の連動部材１２の中空部分１２６を係着ボタン２０の固定により本体１０の側辺１０２上でスリップさせる。第１の連動部材１２の第１の後端１２４は本体１０の底面１０４までに延伸して側辺１０２と垂直である。第２の連動部材１４の第２の前端１４２は第１の連動部材１２の第１の後端１２４と接続し、第２の連動部材１４上には固定点１４６が設けられてあり、係着ボタン２０により本体１０の底面１０４に固定され、この場合、係着ボタンの固定により、固定点１４６が第２の連動部材１４の回転軸心となる。第３の連動部材１６の第３の前端１６２は第２の連動部材１４の第２の後端１４４と接続する。本体１０は更に、両鏤空部分１０８を備え、そして第３の連動部材１６の第３の後端１６４は両突出部分１６６を有し、この突出部分１６６は本体１０の鏤空部分１０８と互いに嵌合する。
【００２７】
図２は本発明の第１の好適な実施例のハード・ディスクモジュール抽出装置の部材組立後、ハード・ディスクモジュールを抽出する見取図である。図２（Ａ）はハード・ディスクモジュール１８を本体１０内に固定した構造の見取図である。本体１０上に固定された第１の連動部材１２は一個以上の係着ボタン２０により第１の連動部材１２が本体１０の側辺１０２でスリップする距離を制御する。第１の連動部材１２の第１の前端１２２が外力の作用を受けたとき、第１の連動部材１２は被圧された他端に向ってスリップするので、第１の連動部材１２の第１の後端１２４と接続した第２の連動部材１４の第２前端１４２は第１連動部材１２のスリップによる牽引を受け、第２の連動部材１４の第２の前端１４２はその固定点１４６を軸心として回転する。この時、第２の連動部材１４の第２の後端１４４は同様にその固定点１４６を回転の軸心として、第２の前端１４２とは反対の方向に回転する。第２の連動部材１４の第２の後端１４４は第３の連動部材１６の第３の前端１６２を牽動すると共に、第３の連動部材１６の第３の後端１６４の突出部分１６６を連動して前方に向ってスリップし、突出部分１６６を利用してその内部に収容されているハード・ディスクモジュール１８を押出す。図２（Ｂ）はハード・ディスクモジュール１８が上記の技術的手段により本体１０外に押出された態様図であり、押出されたハード・ディスクモジュール１８はこのように軽易に抽出される。
【００２８】
図３は本発明のハード・ディスクモジュール抽出装置の第２の好適な実施例の構造見取図である。本発明により提供されるハード・ディスクモジュール抽出装置は本体２０と、第１の連動部材２２と、第２の連動部材２４と、第３の連動部材２６と制御部材２８とを備えてなる。本体２０はハード・ディスクモジュール（図３中に図示していない）を収容する役目をなすもので、当該ハード・ディスクモジュールをその中に支持及び固定する。第１の連動部材２２は本体２０外に設置され、第１の前端２２２及び第１の後端２２４を具備している。制御部材２８は、例えば押ボタンであり、第１の連動部材２２の第１の前端２２２と接続し、外力を接受するか否かを制御して第１の連動部材２２を押動する。第２の連動部材２４は第２の前端２４２と、第２の後端２４４と、固定点２４６とを有し、その中第２の前端２４２は第１の連動部材２２の第１の後端２２４と接続し、第２の連動部材２４は第１の連動部材２２の牽引により固定点２４６を軸心として回転する。第３の連動部材２６は第３の前端２６２と、第３の後端２６４とを有し、その中第３の前端２６２は第２の連動部材２４の第２の後端２４４と接続し、第２の連動部材２４の第２の後端２４４が第３の連動部材２６の第３の前端２６２を牽動して第３の連動部材２６の第３の後端２６４によりハード・ディスクモジュールを押出す。
【００２９】
また図３に示すように、本体２０には側辺２０２と底面２０４があり、側辺２０２及び底面２０４上にはいずれも複数の孔穴２０６が形設されている。第１の連動部材２２には中空部分２２６があり、一個以上の係着ボタン４０により第１の連動部材２２の中空部分２２６を本体２０の側辺２０２の孔穴２０６上に固定して、第１の連動部材２２の中空部分２２６を係着ボタン４０で固定することにより本体２０の側辺２０２上でスリップさせる。第１の連動部材２２の第１の後端２２４は本体２０の底面２０４までに延伸して側辺２０２に垂直である。制御部材２８には不当な外力がハード・ディスクモジュールを押出すのを制御するための旋回ふた２８２を有する。旋回ふた２８２は使用者の方向に向って９０°旋回可能であり、使用者は制御部材２８に対して外力を施すことができる。制御部材２８と接続した第１の連動部材２２は使用者の押し圧を受けてスリップする。第２の連動部材２４の第２の前端２４２は第１の連動部材２２の第１の後端２２４と接続し、第２の連動部材２４上には固定点２４６が設けられているので、係着ボタン４０を本体２０の底面２０４に固定させると、固定点２４６が第２の連動部材２４の回転軸心となる。第３の連動部材２６の第３の前端２６２は第２の連動部材２４の第２の後端２４４と接続する。本体２０は更に、両鏤空部分２０８を備え、そして第３の連動部材２６の第３の後端２６４は両突出部分２６６を有し、この突出部２６６は本体２０の鏤空部分２０８と互いに嵌合する。
【００３０】
図４は本発明の第２の好適な実施例のハード・ディスクモジュール抽出装置の部材組立後、ハード・ディスクモジュールを抽出する見取図である。図４（Ａ）はハード・ディスクモジュール１８を本体２０内に固定した構造の見取図である。本体２０上に固定された第１の連動部材２２は一個以上の係着ボタン４０により第１の連動部材２２が本体１０の側辺２０２でスリップする距離を制御する。制御部材２８が外力の作用を受けた時、制御部材２８と接続した第１の連動部材２２の第１の前端２２２も同時に力を受け、第１の連動部材２２を力を受けた他端に向ってスリップさせるので、第１の連動部材２２の第１の後端２２４と接続した第２の連動部材２４は第１の連動部材２２のスリップによる牽引を受け、第２の連動部材２４の第２の前端２４２はその固定点２４６を軸心として回転する。この時、第２の連動部材２４の第２の後端２４４は同様にその固定点２４６を回転の軸心として第２の前端２４２とは反対の方向に回転する。第２の連動部材２４の第２の後端２４４は第３の連動部材２６の第３の前端２６２を牽動しながら、第３の連動部材２６の第３の後端２６４の突出部分２６６を連動して前方に向ってスリップし、突出部分２６６を利用してその内部に収容されているハード・ディスクモジュール１８を押出す。図４（Ｂ）の態様図に示すようにハード・ディスクモジュールは既に上記の技術的手段により本体２０外に押出されており、押出されたハード・ディスクモジュール１８は軽易に抽出される。
【００３１】
上記に説明されたように、本発明の連動部材は押レバー又は被圧連動部材であってもよく、上記好適な実施例に示された第１の連動部材に限定されず、第１の前端及び第１の後端があり、且つ外力を受けてそれと接続された部材を連動する効果があれば、如何なる形式の構造をも本発明の第１の連動部材に定義された範囲を逸脱しない。
【００３２】
本発明の第２の連動部材は回転バー又は回転部材であってもよく、上記好適な実施例に示された第２の連動部材に限定されず、第２の前端、第２の後端及び固定点があり、且つその接続部材との連動を通してその固定点を軸心として回転する効果があれば、いずれも本発明の第２の連動部材に定義された範囲を逸脱しない。
【００３３】
本発明の第３の連動部材は押し盤又は発動部材であってもよく、上記好適な実施例に示された第３の連動部材に限定されず、第３の前端及び第３の後端があり、第３の後端に突出部分があり、且つその接続部材との連動を通して突出部分でハード・ディスクモジュールを押出す効果があれば、いずれも本発明の第３の連動部材に定義された範囲を逸脱しない。
【００３４】
図５は本発明により提供されるハード・ディスクモジュール抽出装置の外観見取図である。先ず、制御部材２８上の旋回ふた２８２を９０°回転する。次に制御部材２８を下に押えると、ハード・ディスクモジュール１８を抽出できる。
【００３５】
上記抽出装置の補助により使用者は制御部材を単に下へ押せば連動部材の下への移動を引起し、第２の連動部材が牽引されて回転する。そして更に進んで第３の連動部材を牽引して上に向って移動すると、ハード・ディスクモジュールがその勢いに乗じて第３の連動部材の突出部分により押出される。すると、行動中に用いられた多媒体音映設備のハード・ディスクモジュールは本発明の抽出装置により、ハード・ディスクモジュールを家に持ち帰り又は事務環境中でデスクトップ・コンピュータ及びノートブック・コンピュータ等の設備と接続使用できる。
【００３６】
且つ、本案で強調する行動工具は自動車、バス、列車、快速列車、飛行機等の交通工具であり、そしてハード・ディスクモジュール抽出装置が行動工具上に架設される位置はコントロール台、椅子枕内部、椅子下方、車頂下方、椅子背部内等の位置である。
【００３７】
要するに、本発明は行動装置内に設置されるハード・ディスクモジュール抽出装置を提供する。したがって、消費者はこの種の装置が軽易に行動装置上からハード・ディスクモジュールを取り出せることから、使用したい所に随身携帯することができる。且つ、本発明により提供されるハード・ディスクモジュール装置は更に、使用者が行動装置上に貴重な設備を配置する恐れがある心配をなくすことができる。
【００３８】
ところで、上記実施例は本発明の好適な実施の形態にすぎず、本発明の技術的思想はこれに限らず、添付のクレームの範囲を逸脱しない限り、当業者による単純な設計変更、付加、修飾、置換はいずれも本発明の技術的範囲に属する。
【図面の簡単な説明】
【００３９】
【図１】本発明のハード・ディスクモジュール抽出装置の第１の好適な実施例の組立分解図である。
【図２（Ａ）】本発明の第１の実施例のハード・ディスクモジュール抽出装置の部材組立後、ハード・ディスクを抽出する見取図である。
【図２（Ｂ）】本発明の第１の実施例のハード・ディスクモジュール抽出装置の部材組立後、ハード・ディスクを抽出する見取図である。
【図３】本発明のハード・ディスクモジュール抽出装置の第２の好適な実施例の構造見取図である。
【図４（Ａ）】本発明の第２の好適な実施例のハード・ディスクモジュール装置の部材組立後、ハード・ディスクモジュールを抽出する見取図である。
【図４（Ｂ）】本発明の第２の好適な実施例のハード・ディスクモジュール装置の部材組立後、ハード・ディスクモジュールを抽出する見取図である。
【図５】本発明より提供されるハード・ディスクモジュール抽出装置の外観見取図である。
【符号の説明】
【００４０】
１０，２０  本体    １０２、２０２  側辺    １０４、２０４  底面    １０６、２０６  孔穴    １０８、２０８  鏤空部分    １２、２２  第１の連動部材    １２２、２２２  第１の前端    １２４、２２４  第１の後端    １２６、２２６  中空部分      １４、２４  第２の連動部材    １４２、２４２  第２の前端    １４４、２４４  第２の後端    １４６、２４６  固定点    １６、２６  第３の連動部材    １６２，２６２  第３の前端    １６４、２６４  第３の後端    １６６、２６６  突出部分    １８  ハード・ディスクモジュール    ４０  係着ボタン    ２８  制御部材    ２８２  旋回ふた
【図１】
2008123655.tif 000003
【図２（Ａ）】
2008123655.tif 000004
【図２（Ｂ）】
2008123655.tif 000005
【図３】
2008123655.tif 000006
【図４（Ａ）】
2008123655.tif 000007
【図４（Ｂ）】
2008123655.tif 000008
【図５】
2008123655.tif 000009